【手続補正書】
【提出日】平成23年1月14日(2011.1.14)
【手続補正１】
【補正対象書類名】特許請求の範囲
【補正対象項目名】全文
【補正方法】変更
【補正の内容】
【特許請求の範囲】
【請求項１】
複数の画像に対応する画像データが記録された記録部の中から、代表画像を選択する画像選択部と、
上記画像選択部によって選択された代表画像に類似した画像に対応する画像データを含むコンテンツパッケージを検索する検索部と、
上記代表画像を含む複数の画像および上記類似した画像を表示すると共に、上記検索したコンテンツパッケージに含まれるコンテンツを、上記複数の画像を再生する機器と同一の機器に再生する再生部と、
を備えたことを特徴とする画像再生装置。
【請求項２】
複数の画像に対応する画像データが記録された記録部の中から、代表画像を選択するステップと、
上記選択された代表画像に類似した画像に対応する画像データを含むコンテンツパッケージを検索するステップと、
上記代表画像を含む複数の画像および上記類似した画像を表示すると共に、上記検索したコンテンツパッケージに含まれるコンテンツを、上記複数の画像を再生する機器と同一の機器にて再生するステップと、
を備えたことを特徴とする画像再生方法。
【請求項３】
複数の画像に対応する画像データが記録された記録部の中から、複数の画像に含まれる代表画像に関連したデータに対応するコンテンツデータを含むコンテンツパッケージを検索するステップと、
上記検索したパッケージに含まれるコンテンツを、上記複数の画像を再生する機器と同一の機器にて再生するステップと、
を備えたことを特徴とする画像再生方法。
【請求項４】
撮影画像の中から指定された代表画像を受信し、この代表画像を仮記憶する仮記憶部と、
コンテンツの画像を蓄積した画像蓄積部と、
上記代表画像と上記画像蓄積部に蓄積された画像を比較し、上記代表画像に類似する補助画像を検索する検索部と、
上記検索部により検索された上記補助画像を出力する通信部と、
を備えたことを特徴とする画像再生用サーバー。
【請求項５】
上記コンテンツの画像から文字を検出し、除去する画像加工部を有し、上記検索部は上記画像加工部によって文字が除去された画像を用いて上記補助画像を検索することを特徴とする請求項４に記載の画像再生用サーバー。
【請求項６】
スライドショーの再生表示にあたって、上記補助画像を再生表示した後に、上記代表画像を再生表示させるための順次再生部と、
上記順次再生部によって順序つけられた画像を送信する送信部と、
を備えたことを特徴とする請求項４に記載の画像再生用サーバー。
【請求項７】
上記順次再生部は、上記補助画像を上記スライドショーの先頭、もしくは最後に再生表示させることを特徴とする請求項６に記載の画像再生用サーバー。
【請求項８】
上記画像蓄積部は、さらに上記コンテンツの画像に関連する音楽を蓄積しており、スライドショーの再生にあたって、上記音楽の再生用のデータを送信することを特徴とする請求項６に記載の画像再生用サーバー。
【請求項９】
上記画像蓄積部は、さらに上記コンテンツの画像に関連する動画を蓄積しており、スライドショーの再生にあたって、上記画像の再生表示後に上記動画のデータを送信することを特徴とする請求項６に記載の画像再生用サーバー。
【請求項１０】
コンテンツの画像を蓄積した画像蓄積部と、
複数の撮影画像と上記画像蓄積部に蓄積された画像を比較し、類似度の高い画像を補助画像として検索する検索部と、
上記検索部により検索された上記補助画像を出力する通信部と、
を備えたことを特徴とする画像再生用サーバー。
【請求項１１】
複数の撮影画像の中から指定された代表画像と、コンテンツの画像を比較し、上記代表画像に類似する補助画像を検索するステップと、
上記複数の撮影画像の再生表示にあたって、上記補助画像を再生表示した後に、上記代表画像を再生表示させるステップと、
をコンピュータに実行させることを特徴とする画像再生用プログラム。
【請求項１２】
複数の撮影画像の中から代表画像を指定するステップと、
この指定した代表画像とコンテンツの画像を比較し、上記代表画像に類似する補助画像を検索させるために、上記代表画像を外部装置に送信するステップと、
上記外部装置から上記補助画像を受信するステップと、
上記複数の撮影画像の再生表示にあたって、上記補助画像を再生表示した後に、上記代表画像を再生表示させるステップと、
をコンピュータに実行させることを特徴とする画像再生用プログラム。
【請求項１３】
複数の画像に対応する画像データが記録された記録部と、
上記記録部に記録された画像データの中から代表画像に対応する画像を選択する代表画像選択部と、
上記代表画像に類似した画像に対応する画像データを含むコンテンツパッケージを検索する検索部と、
上記検索部により検索したコンテンツパッケージに含まれる画像データに対応する画像をスライドショーを構成する画像の一部として、上記複数の画像を再生するスライドショー再生部と、
を備えたことを特徴とする画像再生システム。
【請求項１４】
上記スライドショー再生部は、上記検索部により検索したコンテンツパッケージに含まれる先頭画像をスライドショーを構成する画像の一部として、上記複数の画像を再生することを特徴とする請求項１３に記載の画像再生システム。
【請求項１５】
上記スライドショー再生部は、上記検索部により検索したコンテンツパッケージに含まれるジャケットをスライドショーを構成する画像の一部として、上記複数の画像を再生することを特徴とする請求項１３に記載の画像再生システム。
【請求項１６】
上記スライドショー再生部は、上記検索部により検索したコンテンツパッケージに含まれる画像データに対応する画像を先頭画像として、上記複数の画像を再生しながら、上記コンテンツパッケージ含まれる音楽データを再生することを特徴とする請求項１３に記載の画像再生システム。
【請求項１７】
上記スライドショー再生部は、上記検索部により検索したコンテンツパッケージに含まれる画像データに対応する画像をスライドショーを構成する画像の一部として、上記複数の画像を再生しながら、上記コンテンツパッケージに含まれる音楽データを再生することを特徴とする請求項１３に記載の画像再生システム。
【請求項１８】
複数の画像に対応する画像データが記録された記録部の中から代表画像に対応する画像データを選択するステップと、
上記代表画像に類似した画像に対応する画像データを含むコンテンツパッケージを検索するステップと、
上記検索部により検索したコンテンツパッケージに含まれる画像データに対応する画像をスライドショーを構成する画像の一部として、上記複数の画像を再生するステップと、
を備えたことを特徴とする画像再生方法。
【手続補正２】
【補正対象書類名】明細書
【補正対象項目名】発明の名称
【補正方法】変更
【補正の内容】
【発明の名称】画像再生装置、画像再生方法、画像再生用サーバー、画像再生用プログラム、および画像再生システム
【手続補正３】
【補正対象書類名】明細書
【補正対象項目名】０００１
【補正方法】変更
【補正の内容】
【０００１】
本発明は、画像再生装置、画像再生方法、画像再生用サーバー、画像再生用プログラム、および画像再生システムに関し、詳しくは、デジタルカメラ等の撮像装置によって撮影した画像を、楽しく鑑賞するための画像再生装置、画像再生方法、画像再生用サーバー、画像再生用プログラム、および画像再生システムに関する。
【手続補正４】
【補正対象書類名】明細書
【補正対象項目名】０００５
【補正方法】変更
【補正の内容】
【０００５】
本発明は、このような事情を鑑みてなされたものであり、適用可能な画像の範囲が広く、短時間で生成することができ、ユーザーに期待感や楽しみを与えることの可能な画像再生装置、画像再生方法、画像再生用サーバー、画像再生用プログラム、および画像再生システムを提供することを目的とする。
【手続補正５】
【補正対象書類名】明細書
【補正対象項目名】０００６
【補正方法】変更
【補正の内容】
【０００６】
上記目的を達成するため第１の発明に係わる画像再生装置は、複数の画像に対応する画像データが記録された記録部の中から、代表画像を選択する画像選択部と、上記画像選択部によって選択された代表画像に類似した画像に対応する画像データを含むコンテンツパッケージを検索する検索部と、上記代表画像を含む複数の画像および上記類似した画像を表示すると共に、上記検索したコンテンツパッケージに含まれるコンテンツを、上記複数の画像を再生する機器と同一の機器に再生する再生部と、を備える。
【手続補正６】
【補正対象書類名】明細書
【補正対象項目名】０００７
【補正方法】変更
【補正の内容】
【０００７】
第２の発明に係わる画像再生方法は、複数の画像に対応する画像データが記録された記録部の中から、代表画像を選択するステップと、上記選択された代表画像に類似した画像に対応する画像データを含むコンテンツパッケージを検索するステップと、上記代表画像を含む複数の画像および上記類似した画像を表示すると共に、上記検索したコンテンツパッケージに含まれるコンテンツを、上記複数の画像を再生する機器と同一の機器にて再生するステップと、を備える。
【手続補正７】
【補正対象書類名】明細書
【補正対象項目名】０００８
【補正方法】変更
【補正の内容】
【０００８】
第３の発明に係わる画像再生方法は、複数の画像に対応する画像データが記録された記録部の中から、複数の画像に含まれる代表画像に関連したデータに対応するコンテンツデータを含むコンテンツパッケージを検索するステップと、上記検索したパッケージに含まれるコンテンツを、上記複数の画像を再生する機器と同一の機器にて再生するステップと、を備える。
【手続補正８】
【補正対象書類名】明細書
【補正対象項目名】０００９
【補正方法】変更
【補正の内容】
【０００９】
第４の発明に係わる画像再生用サーバーは、撮影画像の中から指定された代表画像を受信し、この代表画像を仮記憶する仮記憶部と、コンテンツの画像を蓄積した画像蓄積部と、上記代表画像と上記画像蓄積部に蓄積された画像を比較し、上記代表画像に類似する補助画像を検索する検索部と、上記検索部により検索された上記補助画像を出力する通信部と、を備える。
【手続補正９】
【補正対象書類名】明細書
【補正対象項目名】００１０
【補正方法】変更
【補正の内容】
【００１０】
第５の発明に係わる画像再生用サーバーは、上記第４の発明において、上記コンテンツの画像から文字を検出し、除去する画像加工部を有し、上記検索部は上記画像加工部によって文字が除去された画像を用いて上記補助画像を検索する。
第６の発明に係わる画像再生用サーバーは、上記第４の発明において、スライドショーの再生表示にあたって、上記補助画像を再生表示した後に、上記代表画像を再生表示させるための順次再生部と、上記順次再生部によって順序つけられた画像を送信する送信部と、を備える。
【手続補正１０】
【補正対象書類名】明細書
【補正対象項目名】００１１
【補正方法】変更
【補正の内容】
【００１１】
第７の発明に係わる画像再生用サーバーは、上記第６の発明において、上記順次再生部は、上記補助画像を上記スライドショーの先頭、もしくは最後に再生表示させる。
第８の発明に係わる画像再生用サーバーは、上記第６の発明において、上記画像蓄積部は、さらに上記コンテンツの画像に関連する音楽を蓄積しており、スライドショーの再生にあたって、上記音楽の再生用のデータを送信する。
第９の発明に係わる画像再生用サーバーは、上記第６の発明において、上記画像蓄積部は、さらに上記コンテンツの画像に関連する動画を蓄積しており、スライドショーの再生にあたって、上記画像の再生表示後に上記動画のデータを送信する。
【手続補正１１】
【補正対象書類名】明細書
【補正対象項目名】００１２
【補正方法】変更
【補正の内容】
【００１２】
第１０の発明に係わる画像再生用サーバーは、コンテンツの画像を蓄積した画像蓄積部と、複数の撮影画像と上記画像蓄積部に蓄積された画像を比較し、類似度の高い画像を補助画像として検索する検索部と、上記検索部により検索された上記補助画像を出力する通信部と、を備える。
【手続補正１２】
【補正対象書類名】明細書
【補正対象項目名】００１３
【補正方法】変更
【補正の内容】
【００１３】
第１１の発明に係わる画像再生用プログラムは、複数の撮影画像の中から指定された代表画像と、コンテンツの画像を比較し、上記代表画像に類似する補助画像を検索するステップと、上記複数の撮影画像の再生表示にあたって、上記補助画像を再生表示した後に、上記代表画像を再生表示させるステップと、をコンピュータに実行させる。
【手続補正１３】
【補正対象書類名】明細書
【補正対象項目名】００１４
【補正方法】変更
【補正の内容】
【００１４】
第１２の発明に係わる画像再生用プログラムは、複数の撮影画像の中から代表画像を指定するステップと、この指定した代表画像とコンテンツの画像を比較し、上記代表画像に類似する補助画像を検索させるために、上記代表画像を外部装置に送信するステップと、上記外部装置から上記補助画像を受信するステップと、上記複数の撮影画像の再生表示にあたって、上記補助画像を再生表示した後に、上記代表画像を再生表示させるステップと、をコンピュータに実行させる。
【手続補正１４】
【補正対象書類名】明細書
【補正対象項目名】００１５
【補正方法】変更
【補正の内容】
【００１５】
第１３の発明に係わる画像再生システムは、複数の画像に対応する画像データが記録された記録部と、上記記録部に記録された画像データの中から代表画像に対応する画像を選択する代表画像選択部と、上記代表画像に類似した画像に対応する画像データを含むコンテンツパッケージを検索する検索部と、上記検索部により検索したコンテンツパッケージに含まれる画像データに対応する画像をスライドショーを構成する画像の一部として、上記複数の画像を再生するスライドショー再生部と、を備える。
【手続補正１５】
【補正対象書類名】明細書
【補正対象項目名】００１６
【補正方法】変更
【補正の内容】
【００１６】
第１４の発明に係わる画像再生システムは、第１３の発明において、上記スライドショー再生部は、上記検索部により検索したコンテンツパッケージに含まれる先頭画像をスライドショーを構成する画像の一部として、上記複数の画像を再生する。
第１５の発明に係わる画像再生システムは、第１３の発明において、上記スライドショー再生部は、上記検索部により検索したコンテンツパッケージに含まれるジャケットをスライドショーを構成する画像の一部として、上記複数の画像を再生する。
【手続補正１６】
【補正対象書類名】明細書
【補正対象項目名】００１７
【補正方法】変更
【補正の内容】
【００１７】
第１６の発明に係わる画像再生システムは、第１３の発明において、上記スライドショー再生部は、上記検索部により検索したコンテンツパッケージに含まれる画像データに対応する画像を先頭画像として、上記複数の画像を再生しながら、上記コンテンツパッケージ含まれる音楽データを再生する。
第１７の発明に係わる画像再生システムは、第１３の発明において、上記スライドショー再生部は、上記検索部により検索したコンテンツパッケージに含まれる画像データに対応する画像をスライドショーを構成する画像の一部として、上記複数の画像を再生しながら、上記コンテンツパッケージに含まれる音楽データを再生する。
【手続補正１７】
【補正対象書類名】明細書
【補正対象項目名】００１８
【補正方法】変更
【補正の内容】
【００１８】
第１８の発明に係わる画像再生方法は、複数の画像に対応する画像データが記録された記録部の中から代表画像に対応する画像データを選択するステップと、上記代表画像に類似した画像に対応する画像データを含むコンテンツパッケージを検索するステップと、上記検索部により検索したコンテンツパッケージに含まれる画像データに対応する画像をスライドショーを構成する画像の一部として、上記複数の画像を再生するステップと、を備える。
【手続補正１８】
【補正対象書類名】明細書
【補正対象項目名】００１９
【補正方法】変更
【補正の内容】
【００１９】
本発明によれば、適用可能な画像の範囲が広く、短時間で生成することができ、ユーザーに期待感や楽しみを与えることの可能な画像再生装置、画像再生方法、画像再生用サーバー、画像再生用プログラム、および画像再生システムを提供することができる。